(57)【要約】【課題】被包装製品を係止して抜け止めでき、全体をコンパクトにする。【解決手段】収納方向に沿う側面部に凹部Ｖｂを有する被包装製品Ｖを収容保持する緩衝材であって、被包装製品Ｖの側面部Ｖａに対向する周囲側壁面を有して被包装製品Ｖの全部または一部を収容保持する収納部７を形成し、周囲壁面の上端縁より連続して外周側に上壁面３を形成し、被包装製品Ｖの凹部Ｖｂに対応する周囲側壁面５Ａに、係合リブ８を収納方向に沿って突設するとともに、係合リブ８の収納方向の入口端部８ａが、収納部７に収納された被包装製品Ｖの凹部Ｖｂに対抗する位置に配置され、被包装製品Ｖの収納時に被包装製品Ｖに押されて薄肉部８ｄを中心に外側にＶ字形に陥入され、その入口端部８ａが被包装製品Ｖの凹部Ｖｂに嵌合される。【選択図】        図１
2006219146.tif 000002
【特許請求の範囲】
【請求項１】
梱包体と被包装製品との間に介在され樹脂成形品からなる緩衝材であって、
被包装製品が収納される収納部の周囲側壁面に、収納方向に沿って凸状の係合リブが形成され、
前記係合リブは、被包装製品の収納時に被包装製品の側面部が接触されることにより収納方向の中央部が陥入されてＶ字形に凹み、該係合リブの入口端部が被包装製品の側面部に形成された凹部または穴部に係合されるように構成された
緩衝材。
【請求項２】
収納方向に沿う側面部に凹部または穴部を有する被包装製品を収容保持する緩衝材であって、
前記被包装製品の側面部に対向する周囲側壁面と該周囲側壁面に連続して形成された底壁面とを有する容器状に形成されて被包装製品の全部または一部を収容保持する収納部を形成し、
前記周囲側壁面の上端縁より連続して外周方向に上壁面を形成し、
前記被包装製品の凹部または穴部に対応する前記周囲側壁面に、係合リブを収納方向に沿って突設するとともに、収納方向の奥端部が底壁面に連続され、
前記係合リブは、前記被包装製品の収納時に被包装製品に押されて収納方向の中間部が外方に折れ曲り、当該係合リブの入口端部が被包装製品の凹部または穴部に嵌合されるように構成された
緩衝材。
【請求項３】
前記係合リブは、収納方向の入口端部が前記上壁面近傍に形成された
請求項２記載の緩衝材。
【請求項４】
前記係合リブは、樹脂材により側壁面から収納部内に突出する凸状に形成されるとともにその背面が凹溝となるように一体形成され、かつ収納方向の入口端部から底壁面にかけて収納部内方となる金型の抜き勾配が形成された
請求項２または３記載の緩衝材。
【請求項５】
前記係合リブは、前記収納方向の長さの略１／２の位置に、折り曲げ位置となる薄肉部が形成された
請求項４記載の緩衝材。
【発明の詳細な説明】
【技術分野】
【０００１】
本発明は、家電やＯＡ機器、電子カメラなどの精密機器製品を梱包する時に、梱包材と製品との間に配置される梱包用の緩衝材に関する。
【背景技術】
【０００２】
従来、製品を梱包する際に、製品と梱包用箱との間に挿入される緩衝材は、発泡ポリスチレン体からなるものやダンボールシートからなるものが知られており、輸送時の衝撃から製品を保護するように構成される。また特許文献１に示すように、ブリスター成形品からなる保持部の外側に、合成樹脂発泡体からなる緩衝材を組合わせたものが提案されている。またこの緩衝材をブリスター成形品単体で構成したもの（たとえば特開２００１−２０６４５０）もある。前記特許文献１では、ブリスター成形により形成された保持部は、製品を嵌合する開口部を有する矩形枠体に形成され、製品を塗装面への接触を少なくして位置決めするために、前記開口部の内面に収納方向に沿って複数の突起を形成している。
【特許文献１】実公平７−５４１３７号公報
【発明の開示】
【発明が解決しようとする課題】
【０００３】
しかしながら、複数の突起が製品側面に当接しているだけでは、梱包用箱が輸送中に転倒した場合などに緩衝材または製品が位置ずれして箱内で正常に製品を保持できないことがある。このため、製品側面に当接する突起の収納方向の長さと接触面積を十分に確保して製品を保持部から抜け止めする必要がある。しかし、このように製品に当接する突部の圧接面の収納方向の長さを長くしかつ密接触させると、緩衝材が大型化し、さらに製品の塗装面を磨耗させたり損傷させるおそれがあるという問題があった。
【０００４】
本発明は上記問題点を解決して、製品を効果的に係止して抜け止めすることができ、かつコンパクトに構成できる緩衝材を提供することを目的とする。
【課題を解決するための手段】
【０００５】
請求項１記載の発明は、梱包体と被包装製品との間に介在され樹脂成形品からなる緩衝材であって、被包装製品が収納される収納部の周囲側壁面に、収納方向に沿って凸状の係合リブが形成され、前記係合リブは、被包装製品の収納時に被包装製品の側面部が接触されることにより収納方向の中央部が陥入されてＶ字形に凹み、該係合リブの入口端部が被包装製品の側面部に形成された凹部または穴部に係合されるように構成されたものである。
【０００６】
請求項２記載の発明は、収納方向に沿う側面部に凹部または穴部を有する被包装製品を収容保持する緩衝材であって、前記被包装製品の側面部に対向する周囲側壁面と該周囲側壁面に連続して形成された底壁面とを有する容器状に形成されて被包装製品の全部または一部を収容保持する収納部を形成し、前記周囲側壁面の上端縁より連続して外周方向に上壁面を形成し、前記被包装製品の凹部または穴部に対応する前記周囲側壁面に、係合リブを収納方向に沿って突設するとともに、収納方向の奥端部が底壁面に連続され、前記係合リブは、前記被包装製品の収納時に被包装製品に押されて収納方向の中間部が外方に折れ曲り、当該係合リブの入口端部が被包装製品の凹部または穴部に嵌合されるように構成されたものである。
【０００７】
請求項３記載の発明は、前記係合リブは、収納方向の入口端部が前記上壁面近傍に形成されたものである。
請求項４記載の発明は、前記係合リブは、樹脂材により側壁面から収納部内に突出する凸状に形成されるとともにその背面が凹溝となるように一体形成され、かつ収納方向の入口端部から底壁面にかけて収納部内方となる金型の抜き勾配が形成されたものである。
【０００８】
請求項５記載の発明は、前記係合リブは、前記収納方向の長さの略１／２の位置に、折り曲げ位置となる薄肉部が形成されたものである。
【発明の効果】
【０００９】
請求項１記載の発明によれば、被包装製品を収納部に収納することにより接触してＶ字形に凹み、突出状態で残る入口端部が被包装製品の凹部または穴部に係合されることで、非包装製品を収納部から抜け止めすることができる。したがって、緩衝材は、少なくとも係合リブの長さを確保すればよく、コンパクトに構成できるとともに、接触面も少なく塗装面を傷付けることもない。
【００１０】
請求項２記載の発明によれば、周囲側壁面に収納方向に係合リブを形成し、被包装製品の収納時に、被包装製品が当接して係合リブが中間部を外側に折れ曲り、入口端部が突出状態として残るように構成したので、係合リブの入口端部を収納部に収納された被包装製品の凹部または穴部に係合させることができ、これにより被包装製品を収納部に効果的に抜け止めすることができる。したがって、製品への圧接面積を増大させることなく、緩衝材が小型であっても被包装製品を収納部で安定して抜け止め保持することができ、また被包装製品の塗装膜を損傷させることもない。
【００１１】
請求項３記載の発明によれば、係合リブを上壁面の近傍から底壁面にかけて形成することにより、外側への折れ曲りに必要な長さを十分確保でき、また真空成形などの金枠を使用して底壁面側（収納方向）に抜き取り脱型して製造することができるので、緩衝材を容易に製造することができる。
【００１２】
請求項４記載の発明によれば、抜き勾配により、収納時に被包装製品の側面部や側面部と底面とのコーナー部分を係合リブに当接させて効果的に外側に折り曲げることができるので、入口端部を確実に凹部または穴部に係合させることができる。
【００１３】
請求項５記載の発明によれば、係合リブに薄肉部を形成することにより、収納方向の長さの略１／２の位置で係合リブを精度良く確実に折り曲げることができる。
【発明を実施するための最良の形態】
【００１４】
［実施の形態］
以下、本発明の実施の形態を図１〜図３に基づいて説明する。
図２，図３に示すように、樹脂シートを真空成形などにより一体成形してほぼ均一な厚みに形成された容器状の緩衝材１で、精密機器である被包装製品Ｖを収容保持するものである。すなわち、平面視が矩形断面の外周側壁面２と、外周側壁面２の上端部から内側に水平方向に折り曲げられた上壁面３と、上壁面３の内縁部から下方に折り曲げられて被包装製品Ｖが嵌合可能な平面視略矩形状の開口面４を形成する周囲側壁面５Ａ〜５Ｄと、周囲側壁面５Ａ〜５Ｄの下端部に連続して形成された底壁面６とを具備し、周囲側壁面５Ａ〜５Ｄと底壁面６とで被包装製品Ｖの下部が収容される容器状の収納部７が形成されている。そして、この緩衝材１は樹脂シートを真空成形により一体成形されているため、外周側壁面２および周囲側壁面５Ａ〜５Ｄには、金型を上方に抜き出すための抜き勾配αがそれぞれ形成されている。
【００１５】
一方前記被包装製品Ｖは、収納部７に嵌合可能なたとえば略直方体状で、収納方向に沿う側面Ｖａには凹部Ｖｂが形成されている。
前記緩衝材１で、凹部Ｖｂが面する側壁面５Ａには、被包装製品Ｖの凹部Ｖｂに対応する所定位置には、前記収納方向（図では上下方向）に沿う係合リブ８が形成されている。この係合リブ８は、図１に示すように、１／４球体状の入口端部８ａと、底壁面６に連続する奥端部８ｂと、入口端部８ａおよび奥端部８ｂを接続する半円形直状断面の胴部８ｃからなり、入口端部７ａは上壁面３に接し、収納部７の高さにほぼ相当する長さＨを有している。また係合リブ８の長さ方向に１／２Ｈの位置に周方向にライン状の薄肉部８ｄが形成されている。
【００１６】
この収納部７で、係合リブ８の形成された周囲側壁面５Ａとそれに対向する周囲側壁面５Ｂの開口部４の間隔Ｌは、凹部Ｖｂが形成された側面Ｖａ間の厚みＷと同じか、または僅かに短くＬ≧Ｗに形成されている。また他方で対向する周囲側壁面５Ｃ，５Ｄにより被包装製品Ｖが図の前後方向に位置決めされる。
【００１７】
したがって、被包装製品Ｖが収納部７に嵌入した時に、抜き勾配αも作用して被包装製品Ｖの側面Ｖａの下辺コーナ部が係合リブ８の胴部８ｃに当接し、係合リブ８を外側に押出し、薄肉部８ｄを中心に係合リブ８を外側に折り曲げ、側面視Ｖ字形の凹状に陥没させるように構成されている。そして被包装製品Ｖが底壁面６に着地した収納状態で、入口端部７ａは陥没せずに突出状態で残り被包装製品Ｖの凹部Ｖｂに嵌合し、被包装製品Ｖを位置決めして抜け止めするように構成されている。
【００１８】
上記実施の形態によれば、周囲側壁面５Ａに収納方向に係合リブ８を形成し、被包装製品Ｖを収納部７に嵌合する収納時に、被包装製品Ｖの側面Ｖａが当接して係合リブ８が中間が外側に押出されて薄肉部８ｄを中心に係合リブ８が外側に折れ曲る。そして入口端部８ａが突出状態として残り、被包装製品Ｖの収納位置で前記入口端部８ａを凹部Ｖｂに嵌合させることができる。これにより被包装製品Ｖを収納部７に位置決めして抜け止めすることができる。したがって、被包装製品Ｖへの圧接（または摺接）面積を増大させることなく、また係合リブ８は収納方向に凹入可能な長さであればよいため、緩衝材１を小型化でき、また被包装製品Ｖの塗装膜を損傷させることもない。
（実施例）
図４，図５に示すように、精密機器であるたとえばＶＴＲカメラなどの被包装製品Ｖを包装用箱１に梱包するための緩衝材１は、包装用箱（包装体）１１の箱本体１１ａ底部に部品類用の収納箱１２を収納した後、この収納箱１２の上に、被包装製品Ｖを収納した状態で挿入配置され、被包装製品Ｖを下方に付勢するクッション用フラップ１１ｂを介して開閉蓋１１ｃを閉じ、梱包するものである。
【００１９】
緩衝材１は、外周側壁面２の底辺部に沿って外側に折り曲げられて幅の狭い着地壁２ａが形成されるとともに、外周側壁面２に周方向所定間隔ごとに補強溝部２ｂが上下方向に形成され、これら着地壁２ａおよび補強溝部２ｂにより上下方向の衝撃および周囲からの衝撃を緩衝している。また収納部７には、底壁面６に矩形凹状の緩衝用段部６ａが形成されて上下方向の衝撃を緩衝している。
【００２０】
係合リブ８は、被包装製品Ｖの側面部Ｖａに形成された穴部Ｖｃに対向する位置に形成され、係合リブ８に対向する周囲側壁面５Ｃには、被包装製品Ｖを位置決めするための凸状部１３が形成されている。この凸状部１３は、当接面１３ａが平坦なブロック形に形成されているが、被包装製品Ｖに対応する形状であれば、凸状の縦リブや突起状であってもよい。またここで凸状部１３の当接面１３ａと周囲側壁面５Ａの間隔Ｌは、被包装製品Ｖの穴部Ｖｃを有する側面Ｖａの厚みＷと同じかまたは僅かに短くＬ≧Ｗに形成されている。これにより収納時に必然的に被包装製品Ｖが係合リブ８の胴部８ｃに当接して係合リブ８を凹状に折り曲げることができる。また係合リブ８の入口端部８ａは、上壁面３から少し下位から突出成形されている。
【００２１】
上記構成において、被包装製品Ｖが上方から収納部７に嵌入されると、被包装製品Ｖの側面Ｖａの下辺コーナ部が係合リブ８に当接されて係合リブ８の胴部８ｃが周囲側壁面５Ａと共に外側に押出され、係合リブ８は薄肉部８ｄを中心に折れ曲って側面視Ｖ字形に陥入される。そして入口端部８ａが突出状態で残され、被包装製品Ｖが底壁面６に着地した収納状態で、入口端部８ａが収納された被包装製品Ｖの穴部Ｖｃに係合され、被包装製品Ｖが位置決めされた状態で抜け止めされる。
【００２２】
なお、上記実施の形態および実施例では、係合リブ８を１本としたが、複数本であってもよい。また対向する周囲側壁面５Ｃやその他の周囲側壁面５Ｂ，５Ｄの複数箇所に形成されていてもよい。
【図面の簡単な説明】
【００２３】
【図１】本発明に係る緩衝材の実施の形態を示し、（ａ）は係合リブの横断面図、（ｂ）は被包装製品の収納時の係合リブの横断面図である。
【図２】被包装製品の収納状態を示す平面図である。
【図３】（ａ）は同緩衝材の正面断面図、（ｂ）は同緩衝材の被包装製品の収納状態を示す正面断面図である。
【図４】同緩衝材の実施例を示す梱包体の分割斜視図である。
【図５】同梱包体の正面横断面図である。
【図６】同緩衝材の平面図である。
【図７】同緩衝材の被包装製品の収納状態を示す側面断面図である。
【図８】（ａ）は同緩衝材の正面断面図、（ｂ）は同緩衝材の被包装製品の収納状態を示す正面断面図である。
【符号の説明】
【００２４】
Ｖ    被包装製品
Ｖａ  側面
Ｖｂ  凹部
Ｖｃ  穴部
α    抜き勾配
１    緩衝材
２    外周側壁面
２ａ  着地壁
２ｂ  補強溝部
３    上壁面
４    開口面
５Ａ〜５Ｄ  周囲側壁面
６    底壁面
６ａ  緩衝用段部
７    収納部
８    係合リブ
８ａ  入口端部
８ｂ  奥端部
８ｃ  胴部
８ｄ  薄肉部
１１    包装用箱
１１ａ  箱本体
１１ｂ  クッション用フラップ
１１ｃ  開閉蓋
１２    収納箱
【図１】
2006219146.tif 000003
【図２】
2006219146.tif 000004
【図３】
2006219146.tif 000005
【図４】
2006219146.tif 000006
【図５】
2006219146.tif 000007
【図６】
2006219146.tif 000008
【図７】
2006219146.tif 000009
【図８】
2006219146.tif 000010